(57)【要約】【課題】IP網において短縮ダイヤルサービスを提供する。【解決手段】IP網内のAS１０において、短縮番号およびその短縮番号に対応する接続先番号を含む短縮番号登録要求をIP信号により受信すると、その短縮番号と接続先番号とを短縮ダイヤル情報に登録する。そして、この接続先番号の端末に対し、加入者サーバ２０経由で確認発信を行う。その後、加入者サーバ２０が、IP網の端末８０からの短縮番号の発呼をINVITEメッセージ等で受信すると、AS１０に対し、この短縮番号に接続先番号を問い合わせ、その接続先番号を含むIP信号を中継サーバ４０へ送信する。PSTN‐GW５０は、この接続先番号を含むIP信号を受信すると、このIP信号をPSTNで用いる信号に変換して中継交換機６０へ送信する。【選択図】図１
2011193228.tif 000002
【特許請求の範囲】
【請求項１】
IP網に接続される端末の呼制御を行う加入者サーバと、前記加入者サーバからの問い合わせに応じて、前記呼制御における接続先の端末を指示するアプリケーションサーバとを備える通信システムにおける通信方法であって、
短縮ダイヤルサービスの加入者の発端末のＩＤを示した加入者情報と、短縮ダイヤル番号の登録先のアプリケーションサーバのアドレス情報とを記憶する前記加入者サーバは、
前記IP変換装置経由で、前記IP網に接続される発端末のうち、前記加入者情報に示される発端末から、当該IP信号に短縮ダイヤル番号が含まれることを示す第１の識別情報を含むIP信号を受信したとき、前記IP信号を、前記短縮ダイヤル番号の登録先のアプリケーションサーバへ送信するステップを実行し、
前記アプリケーションサーバは、
前記加入者サーバから、前記第１の識別情報と、前記短縮ダイヤル番号の登録要求を示す第２の識別情報を含むIP信号を受信したとき、前記IP信号に含まれる短縮ダイヤル番号と着端末のダイヤル番号とを対応付けて、短縮ダイヤル情報に登録するステップと、
前記短縮ダイヤル情報への登録後、前記加入者サーバ経由で、当該発端末に接続されるIP変換装置へ前記第１の識別情報と前記短縮ダイヤル番号とを含むIP信号の送信指示メッセージを送信するステップとを実行し、
前記加入者サーバは、
前記IP変換装置から、前記第１の識別情報と前記短縮ダイヤル番号とを含むIP信号を受信したとき、前記IP信号を前記アプリケーションサーバへ転送するステップを実行し、
前記アプリケーションサーバは、
前記加入者サーバから、前記第１の識別情報と前記短縮ダイヤル番号とを含むIP信号を受信したとき、前記短縮ダイヤル情報を参照して、前記IP信号に含まれる短縮ダイヤル番号に対応する着端末のダイヤル番号を特定し、前記特定した着端末のダイヤル番号を含むIP信号を、前記加入者サーバへ送信するステップを実行し、
前記加入者サーバは、
前記アプリケーションサーバから、前記着端末のダイヤル番号を含むIP信号を受信したとき、このIP信号を前記着端末である、前記IP網内の端末または前記ゲートウェイ装置経由でPSTN内の端末へ送信し、ルーチング処理を行うステップを実行することを特徴とする通信方法。
【請求項２】
前記発端末に接続されるIP変換装置が、
前記発端末から前記第１の識別情報と、前記第２の識別情報と、所定桁数の前記短縮ダイヤル番号と、所定桁数の着端末のダイヤル番号との入力を受け付けたとき、前記第１の識別情報と、前記第２の識別情報と、所定桁数の前記短縮ダイヤル番号と、所定桁数の前記短縮ダイヤル番号に対応する着端末のダイヤル番号とを含むIP信号を前記加入者サーバへ送信することを特徴とする請求項１に記載の通信方法。
【請求項３】
前記発端末に接続されるIP変換装置は、前記加入者サーバへIP信号により送信した短縮ダイヤル番号を記憶し、
前記アプリケーションサーバは、
前記短縮ダイヤル番号情報への登録後、前記加入者サーバ経由で、当該発端末に接続されるIP変換装置へ前記第１の識別情報と前記短縮ダイヤル番号とを含むIP信号の送信指示メッセージを送信するステップに代えて、
前記短縮ダイヤル番号情報への登録後、前記加入者サーバ経由で、前記発端末に接続されるIP変換装置へIP信号の切断指示メッセージを送信し、
前記切断指示メッセージを受信したIP変換装置は、
前記記憶した短縮ダイヤル番号を含むIP信号を前記加入者サーバへ送信するステップを実行することを特徴とする請求項１または請求項２に記載の通信方法。
【請求項４】
前記アプリケーションサーバは、
前記短縮ダイヤル番号への登録後、前記加入者サーバ経由で、当該発端末に接続されるIP変換装置へ前記第１の識別情報と短縮ダイヤル番号とを含むIP信号の送信指示メッセージを送信するステップに代えて、
前記短縮ダイヤル番号に対応する着端末のダイヤル番号を含むIP信号を前記加入者サーバへ送信するステップを実行することを特徴とする請求項１または請求項２に記載の通信方法。
【請求項５】
前記発端末との間に音声信号送信のためのパスを確立し、音声信号を送信するメディアサーバを備える通信システムにおける通信方法であって、
前記アプリケーションサーバは、
前記短縮ダイヤル番号情報への登録後、前記メディアサーバへ、前記発端末に対するSDT（セカンドダイヤルトーン）の送信を指示するIP信号を送信するステップを実行し、
前記メディアサーバは、
当該IP信号を受信したとき、前記発端末へSDTを送信するステップをさらに実行することを特徴とする請求項１ないし請求項４のいずれか１項に記載の通信方法。
【請求項６】
IP網に接続される端末の呼制御を行う加入者サーバと、前記加入者サーバからの問い合わせに応じて、前記呼制御における接続先の端末を指示するアプリケーションサーバと、前記発端末との間に音声信号送信のためのパスを確立し、音声信号を送信するメディアサーバとを備える通信システムにおける通信方法であって、
短縮ダイヤルサービスの加入者の発端末のＩＤを示した加入者情報と、短縮ダイヤル番号の登録先のアプリケーションサーバのアドレス情報とを記憶する加入者サーバは、
前記IP変換装置経由で、前記IP網に接続される発端末のうち、前記加入者情報に示される発端末から、当該IP信号に短縮ダイヤル番号が含まれることを示す第１の識別情報を含むIP信号を受信したとき、前記IP信号を、前記短縮ダイヤル番号の登録先のアプリケーションサーバへ送信するステップを実行し、
前記アプリケーションサーバは、
前記加入者サーバから、前記第１の識別情報と、前記短縮ダイヤル番号の登録要求を示す第２の識別情報を含むIP信号を受信したとき、前記メディアサーバへIP信号を送信し、前記メディアサーバとの間の接続を確立するステップと、
前記メディアサーバへ前記発端末のＩＤを含むIP信号を送信するステップとを実行し、
前記メディアサーバは、
前記IP信号に含まれる前記ＩＤの発端末へ、前記短縮ダイヤル番号に対応する着端末のダイヤル番号の入力を促す音声ガイダンスを送信するステップと、
当該発端末から前記着端末のダイヤル番号を受信するステップと、
前記受信した着端末のダイヤル番号を含むIP信号を前記アプリケーションサーバへ送信するステップとを実行し、
前記アプリケーションサーバは、
前記メディアサーバから受信したIP信号に含まれる短縮ダイヤル番号と、前記IP信号に含まれる着端末のダイヤル番号とを対応付けて、短縮ダイヤル情報に登録するステップと、
前記短縮ダイヤル情報への登録後、前記加入者サーバ経由で、当該発端末に接続されるIP変換装置へ前記第１の識別情報と短縮ダイヤル番号とを含むIP信号の送信指示メッセージを送信するステップとを実行し、
前記加入者サーバは、
前記IP変換装置から、前記短縮ダイヤル番号を含むIP信号を受信したとき、前記IP信号を前記アプリケーションサーバへ転送するステップを実行し、
前記アプリケーションサーバは、
前記加入者サーバから、前記第１の識別情報と前記短縮ダイヤル番号とを含むIP信号を受信したとき、前記短縮ダイヤル情報を参照して、前記IP信号に含まれる短縮ダイヤル番号に対応する着端末のダイヤル番号を特定し、前記特定した着端末のダイヤル番号を含むIP信号を、前記IP信号の送信元の加入者サーバへ送信するステップを実行し、
前記加入者サーバは、
前記アプリケーションサーバから、前記着端末のダイヤル番号を含むIP信号を受信したとき、このIP信号を前記着端末である、前記IP網内の端末または前記ゲートウェイ装置経由でPSTN内の端末へ送信し、ルーチング処理を行うステップを実行することを特徴とする通信方法。
【請求項７】
前記発端末に接続されるIP変換装置は、前記加入者サーバへIP信号により送信した短縮ダイヤル番号を記憶し、
前記アプリケーションサーバは、
前記短縮ダイヤル番号情報への登録後、前記加入者サーバ経由で、当該発端末に接続されるIP変換装置へ前記第１の識別情報と前記短縮ダイヤル番号とを含むIP信号の送信指示メッセージを送信するステップに代えて、
前記短縮ダイヤル番号情報への登録後、前記加入者サーバ経由で、前記発端末に接続されるIP変換装置へIP信号の切断指示メッセージを送信し、
前記切断指示メッセージを受信したIP変換装置は、
前記記憶した短縮ダイヤル番号を含むIP信号を前記加入者サーバへ送信するステップを実行することを特徴とする請求項６に記載の通信方法。
【請求項８】
前記アプリケーションサーバは、
前記短縮ダイヤル番号情報への登録後、前記加入者サーバ経由で、当該発端末に接続されるIP変換装置へ前記第１の識別情報と短縮ダイヤル番号とを含むIP信号の送信指示メッセージを送信するステップに代えて、
前記短縮ダイヤル番号に対応する着端末のダイヤル番号を含むIP信号を前記加入者サーバへ送信するステップを実行することを特徴とする請求項６に記載の通信方法。
【請求項９】
IP網に接続される端末の呼制御を行う加入者サーバと、前記加入者サーバからの問い合わせに応じて、前記呼制御における接続先の端末を指示するアプリケーションサーバとを備える通信システムにおける前記アプリケーションサーバであって、
IP信号の入出力を司る入出力部と、
前記入出力部経由で、前記加入者サーバから、当該IP信号に短縮ダイヤル番号が含まれることを示す第１の識別情報と、前記短縮ダイヤル番号の登録要求を示す第２の識別情報を含むIP信号を受信したとき、前記IP信号に含まれる短縮ダイヤル番号と、前記短縮ダイヤル番号に対応する着端末のダイヤル番号とを対応付けて、記憶部の短縮ダイヤル情報に登録する短縮ダイヤル設定部と、
前記短縮ダイヤル情報を記憶する記憶部と、
前記短縮ダイヤル情報への登録後、前記入出力部から、前記加入者サーバ経由で、当該発端末に接続されるIP変換装置へ前記第１の識別情報と前記短縮ダイヤル番号とを含むIP信号の送信指示メッセージを送信する確認発信部と、
前記入出力部経由で、前記加入者サーバから、前記第１の識別情報と前記短縮ダイヤル番号とを含むIP信号を受信したとき、前記短縮ダイヤル情報を参照して、前記IP信号に含まれる短縮ダイヤル番号に対応する着端末のダイヤル番号を特定し、前記特定した着端末のダイヤル番号を含むIP信号を、前記加入者サーバへ送信する接続先指示部とを備えることを特徴とするアプリケーションサーバ。
【発明の詳細な説明】
【技術分野】
【０００１】
IP（Internet Protocol）網における短縮ダイヤルサービスに関する。
【背景技術】
【０００２】
電話サービスの１つである短縮ダイヤルサービスは、接続先番号を予め「Ｎ桁の数字」からなる番号（以下、短縮ダイヤル番号）と対応付けてPSTN（公衆回線網）の交換機に登録しておき、以後、電話をかける際に短縮ダイヤル番号をダイヤルするだけで登録された接続先番号の端末に接続するサービスである（非特許文献１参照）。
【０００３】
短縮ダイヤルサービスの動作は、大別して登録確認発信動作と発信動作の２つに分けられる。登録確認発信動作手順は次の通りである。（１）サービス契約者が、端末から「特殊番号１（例えば、０）」＋「特殊番号２（例えば、＊）」＋「Ｎ桁の数字(短縮ダイヤル番号)」＋「接続先番号（０Ａ−Ｊ番号等）」の入力を行う。（２）システムは、数字を受信し、指定された短縮ダイヤル番号と接続先番号とを対応付けて登録する。（３）システムは、この接続先番号に対し確認発信を行う。また、発信動作手順は次の通りである。（１）サービス契約者が、端末から「特殊番号２」＋「Ｎ桁の数字(短縮ダイヤル番号)」をダイヤルする。（２）システムは、当該短縮ダイヤル番号に対応付けられた接続先番号に対し発信を行う。
【先行技術文献】
【非特許文献】
【０００４】
【非特許文献１】ＮＴＴの短縮ダイヤルサービス、[online]、[平成22年2月4日検索]、インターネット、<URL:http://homepage1.nifty.com/akio-s/dataland/tanshuku.htm>
【発明の概要】
【発明が解決しようとする課題】
【０００５】
しかし、現在のPSTNの交換機は、自身が直接収容する加入者の端末からのみ短縮ダイヤル番号の番号変換に応じる仕様となっている。つまり、PSTNの交換機は、IP網をはじめとする他網からの短縮ダイヤル番号登録や、この短縮ダイヤル番号を接続先番号に変換する仕組みがない。また、短縮ダイヤル番号の登録確認発信のための仕組みもない。そのため、IP網側の端末に短縮ダイヤルサービスを提供することができない。そこで、本発明は、前記した課題を解決し、IP網の端末装置からの短縮ダイヤル番号登録および短縮ダイヤル番号を用いた確認発信を可能とし、IP網側の端末に短縮ダイヤルサービスを提供することを目的とする。
【課題を解決するための手段】
【０００６】
前記した課題を解決するため、本発明は、IP網に接続される端末の呼制御を行う加入者サーバと、加入者サーバからの問い合わせに応じて、呼制御における接続先の端末を指示するアプリケーションサーバとを備える通信システムにおける通信方法である。この通信システムにおける加入者サーバは、短縮ダイヤルサービスの加入者の発端末のＩＤを示した加入者情報と、短縮ダイヤル番号の登録先のアプリケーションサーバのアドレス情報とを記憶する。そして、この加入者サーバは、IP変換装置経由で、IP網に接続される発端末のうち、加入者情報に示される発端末から、当該IP信号に短縮ダイヤル番号が含まれることを示す第１の識別情報を含むIP信号を受信したとき、このIP信号を、短縮ダイヤル番号の登録先のアプリケーションサーバへ送信する。また、アプリケーションサーバは、加入者サーバから、第１の識別情報と、短縮ダイヤル番号の登録要求を示す第２の識別情報を含むIP信号を受信したとき、IP信号に含まれる短縮ダイヤル番号と着端末のダイヤル番号とを対応付けて、短縮ダイヤル情報に登録する。また、短縮ダイヤル情報への登録後、加入者サーバ経由で、当該発端末に接続されるIP変換装置へ第１の識別情報と短縮ダイヤル番号とを含むIP信号の送信指示メッセージを送信する。そして、加入者サーバは、IP変換装置から、第１の識別情報と短縮ダイヤル番号とを含むIP信号を受信したとき、このIP信号をアプリケーションサーバへ転送する。また、アプリケーションサーバは、加入者サーバから、第１の識別情報と短縮ダイヤル番号とを含むIP信号を受信したとき、短縮ダイヤル情報を参照して、このIP信号に含まれる短縮ダイヤル番号に対応する着端末のダイヤル番号を特定し、特定した着端末のダイヤル番号を含むIP信号を、加入者サーバへ送信する。そして、加入者サーバは、アプリケーションサーバから、着端末のダイヤル番号を含むIP信号を受信したとき、このIP信号を着端末である、IP網内の端末またはゲートウェイ装置経由でPSTN内の端末へ送信し、ルーチング処理を行う。
【０００７】
このようにすることで、IP網のアプリケーションサーバは、加入者サーバ経由で、発端末からの短縮ダイヤル番号と、その短縮ダイヤル番号に対応する着端末のダイヤル番号（例えば、接続先番号）とをIP信号により受信し、短縮ダイヤル情報に登録する。また、アプリケーションサーバは、その登録された着端末のダイヤル番号への確認発信を行うことができる。
【０００８】
また、本発明は、通信システムにおける発端末に接続されるIP変換装置が、発端末から第１の識別情報と、第２の識別情報と、所定桁数の短縮ダイヤル番号と、所定桁数の着端末のダイヤル番号との入力を受け付けたとき、この第１の識別情報と、第２の識別情報と、所定桁数の短縮ダイヤル番号と、所定桁数の短縮ダイヤル番号に対応する着端末のダイヤル番号とを含むIP信号を加入者サーバへ送信する。
【０００９】
このようにすることで、IP変換装置は、発端末から、第１の識別情報（特殊番号２）と第２の識別情報（特殊番号１）と、所定桁数の短縮ダイヤル番号と、所定桁数のこの短縮ダイヤル番号に対応する着端末のダイヤル番号とが入力された段階で、加入者サーバへ、これらの情報を含むIP信号を送信することができる。つまり、IP変換装置は、数字や記号が何個入力された段階で加入者サーバへIP信号を送信すればよいかが分かる。
【００１０】
また、本発明は、通信システムの発端末に接続されるIP変換装置が、加入者サーバへIP信号により送信した短縮ダイヤル番号を記憶する。そして、アプリケーションサーバは、短縮ダイヤル番号情報への登録後、加入者サーバ経由で、当該発端末に接続されるIP変換装置へ第１の識別情報と短縮ダイヤル番号とを含むIP信号の送信指示メッセージを送信するステップに代えて、短縮ダイヤル番号情報への登録後、加入者サーバ経由で、発端末に接続されるIP変換装置へIP信号の切断指示メッセージを送信し、この切断指示メッセージを受信したIP変換装置は、記憶した短縮ダイヤル番号を含むIP信号を加入者サーバへ送信するステップを実行する。
【００１１】
このようにすることで、アプリケーションサーバは、IP信号の切断指示メッセージにより、IP変換装置へ、短縮ダイヤル情報に登録された短縮ダイヤル番号に対応する着端末のダイヤル番号への発信を指示できる。つまり、IP変換装置は、加入者サーバ経由で受信したアプリケーションサーバからのIP信号の切断指示メッセージにより、この短縮ダイヤル番号に対応する着端末への発信をすべきと判断し、その着端末を宛先としたIP信号を発信する。つまり、アプリケーションサーバは、短縮ダイヤル番号に対応する着端末への発信確認をすることができる。
【００１２】
また、本発明は、通信システムのアプリケーションサーバが、短縮ダイヤル番号への登録後、加入者サーバ経由で、当該発端末に接続されるIP変換装置へ第１の識別情報と短縮ダイヤル番号とを含むIP信号の送信指示メッセージを送信するステップに代えて、短縮ダイヤル番号に対応する着端末のダイヤル番号を含むIP信号を加入者サーバへ送信するステップを実行する。
【００１３】
このようにすることで、アプリケーションサーバは、加入者サーバから、短縮ダイヤル番号に対応する着端末への発信確認をすることができる。
【００１４】
また、本発明は、発端末との間に音声信号送信のためのパスを確立し、音声信号を送信するメディアサーバを備える通信システムにおける通信方法であって、アプリケーションサーバが、短縮ダイヤル番号情報への登録後、メディアサーバへ、発端末に対するSDT（セカンドダイヤルトーン）の送信を指示するIP信号を送信する。また、メディアサーバは、このIP信号を受信したとき、発端末へSDTを送信するステップをさらに実行する。
【００１５】
このようにすることで、短縮ダイヤル番号の登録を行った発端末の利用者は、アプリケーションサーバにおいて短縮ダイヤル番号に対応する着端末のダイヤル番号が登録されたことを、メディアサーバからのSDTにより確認することができる。
【００１６】
また、本発明は、IP網に接続される端末の呼制御を行う加入者サーバと、加入者サーバからの問い合わせに応じて、呼制御における接続先の端末を指示するアプリケーションサーバと、発端末との間に音声信号送信のためのパスを確立し、音声信号を送信するメディアサーバとを備える通信システムにおける通信方法である。この通信システムにおいて、短縮ダイヤルサービスの加入者の発端末のＩＤを示した加入者情報と、短縮ダイヤル番号の登録先のアプリケーションサーバのアドレス情報とを記憶する加入者サーバが、IP変換装置経由で、IP網に接続される発端末のうち、加入者情報に示される発端末から、当該IP信号に短縮ダイヤル番号が含まれることを示す第１の識別情報を含むIP信号を受信したとき、IP信号を、短縮ダイヤル番号の登録先のアプリケーションサーバへ送信する。また、アプリケーションサーバは、加入者サーバから、第１の識別情報と、短縮ダイヤル番号の登録要求を示す第２の識別情報を含むIP信号を受信したとき、メディアサーバへIP信号を送信し、メディアサーバとの間の接続を確立する。そして、アプリケーションサーバは、このメディアサーバへ発端末のＩＤを含むIP信号を送信する。また、メディアサーバは、IP信号に含まれるＩＤの発端末へ、短縮ダイヤル番号に対応する着端末のダイヤル番号の入力を促す音声ガイダンスを送信する。そして、当該発端末から着端末のダイヤル番号を受信し、この受信した着端末のダイヤル番号を含むIP信号をアプリケーションサーバへ送信する。その後、アプリケーションサーバは、メディアサーバから受信したIP信号に含まれる短縮ダイヤル番号と、IP信号に含まれる着端末のダイヤル番号とを対応付けて、短縮ダイヤル情報に登録する。そして、アプリケーションサーバは、短縮ダイヤル情報への登録後、加入者サーバ経由で、当該発端末に接続されるIP変換装置へ第１の識別情報と短縮ダイヤル番号とを含むIP信号の送信指示メッセージを送信する。また、加入者サーバは、IP変換装置から、短縮ダイヤル番号を含むIP信号を受信したとき、このIP信号をアプリケーションサーバへ転送する。そして、アプリケーションサーバは、加入者サーバから、第１の識別情報と短縮ダイヤル番号とを含むIP信号を受信したとき、短縮ダイヤル情報を参照して、IP信号に含まれる短縮ダイヤル番号に対応する着端末のダイヤル番号を特定する。そして、この特定した着端末のダイヤル番号を含むIP信号を、加入者サーバへ送信する。その後、加入者サーバは、アプリケーションサーバから、着端末のダイヤル番号を含むIP信号を受信したとき、このIP信号を着端末である、IP網内の端末またはゲートウェイ装置経由でPSTN内の端末へ送信し、ルーチング処理を行う。
【００１７】
このようにすることで、アプリケーションサーバは、メディアサーバを用いて短縮ダイヤル番号とその短縮ダイヤル番号に対応する着端末のダイヤル番号の登録を受け付けることができる。また、この登録された着端末への確認発信を行うことができる。また、ここでも、発端末に接続されるIP変換装置は、加入者サーバへIP信号により送信した短縮ダイヤル番号を記憶しておき、アプリケーションサーバは、短縮ダイヤル番号情報への登録後、加入者サーバ経由で、発端末に接続されるIP変換装置へIP信号の切断指示メッセージを送信する。そして、この切断指示メッセージを受信したIP変換装置は、この短縮ダイヤル番号を含むIP信号を加入者サーバへ送信してもよい。あるいは、アプリケーションサーバは、短縮ダイヤル番号情報への登録後、短縮ダイヤル番号に対応する着端末のダイヤル番号を含むIP信号を加入者サーバへ送信することで、加入者サーバから短縮ダイヤル番号に対応する着端末への発信確認をすることができる。
【００１８】
また、本発明は、IP網に接続される端末の呼制御を行う加入者サーバと、加入者サーバからの問い合わせに応じて、呼制御における接続先の端末を指示するアプリケーションサーバとを備える通信システムにおけるアプリケーションサーバである。このアプリケーションサーバは、IP信号の入出力を司る入出力部と、入出力部経由で、加入者サーバから、当該IP信号に短縮ダイヤル番号が含まれることを示す第１の識別情報と、短縮ダイヤル番号の登録要求を示す第２の識別情報を含むIP信号を受信したとき、このIP信号に含まれる短縮ダイヤル番号と、短縮ダイヤル番号に対応する着端末のダイヤル番号とを対応付けて、記憶部の短縮ダイヤル情報に登録する短縮ダイヤル設定部と、短縮ダイヤル情報を記憶する記憶部とを備える。また、アプリケーションサーバは、短縮ダイヤル情報への登録後、入出力部から、加入者サーバ経由で、当該発端末に接続されるIP変換装置へ第１の識別情報と短縮ダイヤル番号とを含むIP信号の送信指示メッセージを送信する確認発信部と、入出力部経由で、加入者サーバから、第１の識別情報と短縮ダイヤル番号とを含むIP信号を受信したとき、短縮ダイヤル情報を参照して、このIP信号に含まれる短縮ダイヤル番号に対応する着端末のダイヤル番号を特定し、この特定した着端末のダイヤル番号を含むIP信号を、加入者サーバへ送信する接続先指示部とを備える。
【００１９】
このようなアプリケーションサーバによれば、IP網の端末装置からの短縮ダイヤル番号登録や、短縮ダイヤル番号を用いた確認発信をすることができる。
【発明の効果】
【００２０】
本発明によれば、IP網の端末装置からの短縮ダイヤル番号登録や、短縮ダイヤル番号を用いた発信を可能とすることができる。よって、IP網の端末に対し、短縮ダイヤルサービスを提供できる。
【図面の簡単な説明】
【００２１】
【図１】第１の実施の形態のシステムの概要を示した図である。
【図２】第１の実施の形態のシステムの概要を示した図である。
【図３】第１の実施の形態ないし第４の実施の形態のシステムの構成例を示した図である。
【図４】第１の実施の形態のシステムの処理手順を示したシーケンス図である。
【図５】第１の実施の形態のシステムの処理手順を示したシーケンス図である。
【図６】第２の実施の形態のシステムの処理手順を示したシーケンス図である。
【図７】第３の実施の形態のシステムの概要を示した図である。
【図８】第３の実施の形態のシステムの処理手順を示したシーケンス図である。
【図９】第４の実施の形態のシステムの概要を示した図である。
【図１０】第４の実施の形態のシステムの処理手順を示したシーケンス図である。
【図１１】第５の実施の形態のシステムの構成例を示した図である。
【図１２】第５の実施の形態のシステムの処理手順を示したシーケンス図である。
【図１３】第５の実施の形態のシステムの処理手順を示したシーケンス図である。
【発明を実施するための形態】
【００２２】
＜第１の実施の形態＞
以下、本発明の実施の形態を第１の実施の形態から第５の実施の形態に分けて説明する。まず、図１を用いて、第１の形態のシステムの概要を説明する。システムは、IP網とPSTN（公衆回線網）とを備える。このIP網およびPSTNは、PSTN-GW５０により相互に接続される。このIP網は、短縮ダイヤル番号（短縮番号）を、0A-J（「０」から始まる汎用番号）の接続先番号（着端末のダイヤル番号）に変換するAS（アプリケーションサーバ）１０を備える。図１を参照して、IP網に接続された端末８０Ａからの発呼が、IP網に接続された端末８０Ｂ、または、PSTNに接続された端末８０Ｃへ着信するまでの処理を説明する。なお、以下の説明においてダイヤルに含まれる短縮番号の登録を示す識別情報（第２の識別情報）が「０」であり、短縮番号の入力を示す識別情報（第１の識別情報）が「＊」である場合を例に説明するが、これに限定されない。
【００２３】
例えば、図１のIP変換装置９０Ａは、端末８０Ａから「０」＋「＊」＋「△△（短縮番号）」＋「接続先番号」含む短縮番号登録要求を受信する（図１のＳ１０１）。そして、その短縮番号登録要求をIP信号に変換して、加入者サーバ２０Ａへ送信する。
【００２４】
加入者サーバ２０Ａは、送信された短縮番号登録要求「０＊」が含まれていることから、AS１０へ、この短縮番号登録要求を転送する（Ｓ１０２）。AS１０は、受信したIP信号に含まれる短縮番号（△△）と、接続先番号とを対応付けて短縮ダイヤル情報に登録する（Ｓ１０３）。そして、この登録が完了すると、AS１０はIP信号により、MS３０へ、端末８０Ａに対するSDT（セカンドダイヤルトーン）の送信要求を行う（Ｓ１０４）。これを受けてMS３０は、端末８０Ａに対しSDTを送信する（Ｓ１０５）。つまり、MS３０は、AS１０からの指示に従い発端末に対し、SDTを送信する。これにより、発端末の利用者に短縮番号の登録完了を知ることができる。SDT送信開始後、所定時間が経過すると、AS１０は、MS３０に対し、SDTの送信停止要求を行う（Ｓ１０６）。
【００２５】
その後、AS１０は、加入者サーバ２０Ａ経由で、IP変換装置９０Ａに対し、リダイレクションのためのIP信号を送信する。つまり、短縮番号による確認発信要求をIP変換装置９０Ａへ送信する（Ｓ１０７）。この確認発信要求を受信したIP変換装置９０Ａは、「＊」＋「△△（短縮番号）」を宛先とする発呼のためのIP信号（確認発信要求）を加入者サーバ２０Ａへ送信し（Ｓ１０８）、加入者サーバ２０Ａは、このIP信号をAS１０へ転送する。
【００２６】
AS１０は、このIP信号（確認発信）を受信すると、短縮ダイヤル情報を参照して、短縮番号から接続先番号を検索する（Ｓ１０９）。そして、この検索した接続先番号を宛先とする発呼のためのIP信号を加入者サーバ２０Ａへ送信する。つまり、AS１０は、接続先番号への発信要求を加入者サーバ２０Ａへ送信する（Ｓ１１０）。
【００２７】
その後、接続先番号を宛先とする発呼のためのIP信号は、加入者サーバ２０Ａから中継サーバ４０へ送信される。ここで、接続先番号の端末８０（着端末）がIP網の端末８０Ｂであれば、このIP信号による発呼は、加入者サーバ２０ＢおよびIP変換装置９０Ｂ経由で、端末８０Ｂへ着信する。一方、着端末がPSTNの端末８０Ｃであれば、PSTN-GW５０で、IP信号がPSTNの信号に変換され、中継交換機６０および加入者交換機７０経由で端末８０Ｃへ着信することになる。
【００２８】
このようにすることで、システムは、IP網に接続される端末８０から、短縮番号とその短縮番号に対応する接続先番号との登録を受け付け、その接続先番号への確認発信を行うことができる。
【００２９】
以上説明した処理により、システムの短縮番号の登録が完了した後、端末８０から短縮番号の発信を受け付けると、以下のような着信処理を行う。例えば、図２に示すように、IP変換装置９０Ａが、端末８０Ａから、「＊」＋「△△」の操作で短縮番号を受信すると（Ｓ２０１）、IP変換装置９０Ａは、この「＊」＋「△△」を宛先とする発呼のためのIP信号を加入者サーバ２０Ａへ送信する。そして、加入者サーバ２０Ａは、この「＊」＋「△△」を含む短縮番号発信要求のIP信号をAS１０に転送する（Ｓ２０２）。AS１０は、加入者サーバ２０Ａから受信したIP信号に含まれる短縮番号から接続先番号を検索し、この接続先番号の発呼のためのIP信号を加入者サーバ２０Ａへ送信する（Ｓ２０３）。その後、このIP信号は、加入者サーバ２０Ａから中継サーバ４０を経由して、加入者サーバ２０ＢまたはPSTN-GW５０へ転送される。すなわち、この接続先番号の端末がIP網の端末８０Ｂであれば、加入者サーバ２０ＢおよびIP変換装置９０Ｂ経由で、端末８０Ｂへ着信する。また、その接続先番号の端末がPSTNの端末８０Ｃであれば、PSTN-GW５０で、IP信号からPSTNの信号に変換され、中継交換機６０および加入者交換機７０経由で端末８０Ｃへ着信することになる。
【００３０】
つまり、加入者サーバ２０はAS１０に短縮番号に対応する接続先番号の問い合わせを行い、その問い合わせの結果得られた接続先番号を含むIP信号を中継サーバ４０へ送信する。よって、着端末がIP網の端末であろうと、PSTNの端末であろうと、着端末への着信処理を行うことができる。
【００３１】
なお、図示を省略したが、このシステムが、PSTN側の端末８０（端末８０Ｃ）から短縮番号を用いた発信を受け付けた場合、加入者交換機７０は、自身の短縮ダイヤル情報を参照して、短縮番号を接続先番号に変換する。そして、その接続先番号の端末８０がIP網の端末８０（８０Ａ）であれば、中継交換機６０経由でPSTN-GW５０へ送信される。次に、このPSTN-GW５０において、この接続先番号を含むPSTNの信号がIP信号に変換され、IP網の中継サーバ４０へ送信される。そして、このIP信号はIP網において転送され、端末８０Ａに着信する。一方、接続先番号の端末８０がPSTNの端末８０であれば、従来どおり加入者交換機７０および中継交換機６０経由で、その接続先番号の端末８０へ着信する。つまり、本システムは、PSTNに接続される端末８０からの短縮番号の着信処理も、IP網に接続される端末８０からの短縮番号の着信処理も行うことができる。
【００３２】
＜構成＞
次に、図３を用いて、システムの詳細を説明する。前記したとおり、システムは、IP網とPSTNとを含んで構成され、IP網とPSTNとはPSTN-GW５０により相互に接続される。ここでは、IP網には端末８０Ａ，８０Ｂが接続され、PSTNには端末８０Ｃが接続される場合を例に説明する。なお、以下の説明において短縮番号は、予め決められたＮ桁の数字により記述され、そのＮ桁の数字の前には、所定の記号（例えば「＊」等）や数字等（例えば「０」等）の識別情報が付されるものとする。この識別情報により、加入者サーバ２０は、受信したIP信号が、短縮番号への発呼か、短縮番号の登録要求か、または通常の接続先番号への発呼かの判断を行うものとする。また、端末８０は、電話機やコンピュータ等である。このシステムに設置される各サーバ、装置、交換機の数は、図３に示す数に限定されない。
【００３３】
このシステムのIP網は、IP変換装置９０と、加入者サーバ２０（２０Ａ，２０Ｂ）と、AS１０と、これらの装置およびサーバを接続する中継サーバ４０とを備える。これらの装置は、入出力部、処理部、記憶部を備えるコンピュータにより実現される。入出力部は、入出力インタフェースから構成される。また、処理部は、この各サーバが備えるＣＰＵ（Central Processing Unit）によるプログラム実行処理や、専用回路等により実現される。さらに、記憶部は、ＲＡＭ（Random Access Memory）、ＲＯＭ（Read Only Memory）、ＨＤＤ（Hard Disk Drive）、フラッシュメモリ等の記憶媒体から構成される。なお、これらのサーバをプログラム実行処理により実現する場合、記憶部には、このサーバの機能を実現するためのプログラムが格納される。
【００３４】
＜IP変換装置＞
IP変換装置９０は、端末８０を、いわゆるIP電話機として用いるためのアダプタである。このIP変換装置９０は、端末８０との通信インタフェースおよび加入者サーバ２０との通信インタフェースを備える装置により実現される。IP変換装置９０は、IP変換部９１を備える。このIP変換部９１は、端末８０から出力された発呼信号を、発呼のためのIP信号に変換する。また、受信したIP信号を、端末８０で利用可能な信号に変換して出力する。なお、このIP信号は、例えば、INVITEメッセージ（SIP（Session Initiation Protocol）で発呼処理に用いられるメッセージ）である。破線で示した発呼処理部９２について後記する。また、以下の説明において、発呼に用いられるIP信号としてINVITEメッセージを用いる場合を例に説明するが、これに限定されない。IP変換装置９０は、このIP変換部９１により変換されたIP信号を、加入者サーバ２０へ転送する。また、加入者サーバ２０から、180 Ringing を受信すると、発信元である端末８０の呼び出し音を鳴らす。そして、着信先の端末８０がオフフックを検出すると、この端末８０と、着信先の端末８０との間で通話ができるよう、通信の確立を行う。なお、ここでは、IP変換装置９０と端末８０とを別個の装置としているが、これを１つの装置（コンピュータ等）により実現してもよい。なお、このIP変換装置９０は、発端末から短縮番号登録の識別情報と、短縮番号の識別情報と、所定桁数の短縮番号と、この短縮番号に対応する所定桁数の着端末のダイヤル番号との入力を受け付けたとき、これらの識別情報と番号を含むIP信号を加入者サーバ２０へ送信する
【００３５】
＜加入者サーバ＞
加入者サーバ２０は、IP変換装置９０とPSTN-GW５０とを相互に接続する装置であり、IP網で通信可能なインタフェースを備えるコンピュータにより実現される。この加入者サーバ２０は、サービス判定部２１と、AS問い合わせ部２２と、ルーチング部２３と、接続処理部２４とを備える。また、この加入者サーバ２０は、記憶部（図示省略）に、短縮ダイヤルサービスの利用者の端末８０の発信番号を示す加入者情報２５と、IP変換装置情報２６と、短縮ダイヤル番号の登録先のAS１０のアドレス情報とを記憶する。
【００３６】
サービス判定部２１は、受信したINVITEメッセージが短縮ダイヤルサービスのINVITEメッセージか否かを判断する。つまり、サービス判定部２１は、このINVITEメッセージに識別情報「＊」が含まれており、かつ、加入者情報２５を参照することで、受信したINVITEメッセージの発端末が短縮ダイヤルサービスの利用者の端末８０であるとき、このINVITEメッセージを短縮ダイヤルサービスのINVITEメッセージと判断する。一方、INVITEメッセージに「＊」が含まれていないとき、または、加入者情報２５に登録されていない発端末からのINVITEメッセージであるとき、このINVITEメッセージは短縮ダイヤルサービスのINVITEメッセージと判断しない。サービス判定部２１は、受信したINVITEメッセージが短縮ダイヤルサービスのINVITEメッセージであれば、そのINVITEメッセージをAS問い合わせ部２２へ出力する。一方、サービス判定部２１は、INVITEメッセージが短縮ダイヤルサービスのINVITEメッセージでなければ、ルーチング部２３へ出力し、ルーチング部２３はSIPに基づく、通常通りのルーチング処理を行う。
【００３７】
ルーチング部２３は、着端末のダイヤル番号を宛先に含むINVITEメッセージを受信したとき、このINVITEメッセージを着端末（IP網内の端末８０またはPSTN内の端末８０）へ送信し、ルーチング処理を行う。
【００３８】
接続処理部２４は、ルーチング部２３によりルーチングされた着端末からの応答（応呼）を検出すると、発端末との接続処理を行う。また、MS３０と発端末との接続処理を行う。つまり、着端末と発端末との通信を確立したり、ＭＳ３０と発端末との通信を確立したりする。
【００３９】
AS問い合わせ部２２は、サービス判定部２１から出力されたINVITEメッセージをAS１０へ送信する。ここで送信されるINVITEメッセージは、短縮番号に対応する接続先番号の問い合わせを行うためのINVITEメッセージや、短縮番号の登録要求のINVITEメッセージである。なお、このINVITEメッセージが短縮番号に対応する接続先番号の問い合わせのINVITEメッセージであれば、ＡＳ問い合わせ部２２は、AS１０から、短縮番号に対応する接続先番号を含むINVITEメッセージを受信する。そして、このINVITEメッセージをルーチング部２３へ出力する。
【００４０】
加入者情報２５は、短縮ダイヤルサービスの利用者の端末８０の発信番号を示した情報である。IP変換装置情報２６は、接続先番号ごとに、この接続先番号の着端末に接続するIP変換装置９０のアドレスを示した情報である。このIP変換装置情報２６は、ルーチング部２３がPSTN-GW５０側からINVITEメッセージを受信したとき、このINVITEメッセージの転送先のIP変換装置９０を特定するときに参照される。
【００４１】
＜AS＞
AS１０は、加入者サーバ２０からの短縮ダイヤル番号の登録要求を示すINVITEメッセージを受信すると、これに基づき短縮ダイヤル番号を短縮ダイヤル情報１５に登録する。その後、加入者サーバ２０経由で、その短縮ダイヤル番号に対応する着端末への発信確認を指示する。さらに、AS１０は、この短縮ダイヤル情報１５への短縮ダイヤル番号の登録後、加入者サーバ２０から、この短縮ダイヤル番号に対応する接続先番号の問い合わせを受けたとき、この接続先番号を返信する。このAS１０は、このIP網で通信可能なインタフェースを備えるコンピュータにより実現され、接続先指示部１１と、短縮ダイヤル設定部１３と、確認発信部１２と、MS指示部１４とを備える。また、記憶部（図示省略）に、短縮ダイヤル情報１５を記憶する。
【００４２】
接続先指示部１１は、加入者サーバ２０から短縮番号に対応する接続先番号の問い合わせを受けると、この接続先番号を加入者サーバ２０へ返す。つまり、接続先指示部１１は、加入者サーバ２０から短縮番号に対応する接続先番号の問い合わせるIP信号（例えば、短縮番号を含むINVITEメッセージ）を受信すると、このINVITEメッセージに含まれる短縮番号をキーとして短縮ダイヤル情報１５を検索して、この短縮番号の示す接続先番号を特定する。そして、この接続先番号を含むINVITEメッセージを加入者サーバ２０へ返す。
【００４３】
確認発信部１２は、短縮ダイヤル情報１５への短縮番号の登録後、加入者サーバ２０経由で、発端末に接続されるIP変換装置９０へ「＊」＋「△△（短縮番号）」を含む発信指示を送信する。この発信指示は、IP信号であり、例えば、「＊」＋「△△（短縮番号）」を含むIP信号の指示メッセージ（例えばSIPの3XXメッセージ等）である。確認発信部１２は、このようなIP信号を発端末に接続されるIP変換装置９０へ送信することで、このIP変換装置９０に対し、短縮番号の確認発信を行わせることができる。つまり、発端末に接続されるIP変換装置９０から、短縮番号による発信ができるか否かを確認できる。
【００４４】
短縮ダイヤル設定部１３は、加入者サーバ２０から短縮ダイヤル番号の登録要求のINVITEメッセージ（「０」＋「＊」＋「△△（短縮番号）」＋「接続先番号」を含むINVITEメッセージ）を受信すると、この短縮番号と、この短縮番号に対応する接続先番号を短縮ダイヤル情報１５に登録する。また、登録後、MS指示部１４に対し、MS３０へのSDTの送信指示を出力する。
【００４５】
MS指示部１４は、MS３０に対し、発端末へのSDTの送信指示を行う。このSDTの送信により、発端末に、短縮ダイヤル情報１５に短縮番号が登録されたことを通知することができる。
【００４６】
短縮ダイヤル情報１５は、短縮番号ごとに、その短縮番号に対応する接続先番号（着信ダイヤル番号（0A-J））を示した情報である（表１参照）。この短縮ダイヤル情報１５は接続先指示部１１が、短縮番号に対応する接続先番号を特定するときに参照される。
【００４７】
【表１】
2011193228.tif 000003
【００４８】
＜ＭＳ＞
MS３０は、AS１０からの指示に従い、端末８０へSDT（セカンドダイヤルトーン）等の音声信号を送信する。このようなMS３０は、このSDT等の音声信号を送信するSDT処理部３１を備える。なお、破線で示したＲＢＴ処理部３２、ガイダンス送信部３３、接続先番号受付部３４の説明は後記する。
【００４９】
＜ＰＳＴＮ−ＧＷ＞
PSTN-GW５０は、IP網とPSTNとを相互に接続する装置であり、中継サーバ４０との通信インタフェースおよびPSTNの中継交換機６０との通信インタフェースを備えるコンピュータにより実現される。このPSTN-GW５０は、加入者サーバ２０からINVITEメッセージを受信すると、このメッセージを、PSTNで用いる発呼信号（例えば、IAMメッセージ）に変換する。PSTN-GW５０は、この変換した信号をPSTNの中継交換機６０へ送信する。
【００５０】
＜中継交換機＞
次に、PSTNを説明する。PSTNは、中継交換機６０と、加入者交換機７０とを備える。中継交換機６０は、加入者交換機７０とPSTN-GW５０とを接続する。中継交換機６０は、PSTN-GW５０から発呼信号を受信したとき、この信号に含まれる接続先番号をキーとして、加入者交換機７０を検索し、この検索した加入者交換機７０に発呼を送信する。また、中継交換機６０は、加入者交換機７０から発呼信号を受信したとき、この発呼信号をPSTN-GW５０へ送信する。
【００５１】
＜加入者交換機＞
加入者交換機７０は、PSTN内の端末８０（８０Ｃ）に接続される交換機である。加入者交換機７０は、中継交換機６０からの発呼信号を受信すると、この発呼信号に含まれる接続先番号の端末８０への着信処理を行う。また、加入者交換機７０は、端末８０からの発信を受け付けたとき、PSTNで用いる信号に変換して、中継交換機６０へ送信する。なお、この加入者交換機７０は、PSTNで用いる短縮ダイヤル情報を備えていてもよい。この短縮ダイヤル情報は、PSTNの端末８０が用いる短縮番号ごとに、その短縮番号に対応する接続先番号を示した情報である。加入者交換機７０は、端末８０から短縮番号の発信を受け付けたときには、この加入者交換機７０の短縮ダイヤル情報を参照して、この短縮番号に対応する接続先番号を特定し、この接続先番号を宛先とする発呼信号（例えば、IAMメッセージ）を中継交換機６０へ送信するようにしてもよい。
【００５２】
＜処理手順＞
次に、図４を用いて、第１の実施の形態のシステムの処理手順を説明する。ここでは、発端末が端末８０Ａであり、着端末が端末８０Ｂである場合を例に説明する。
【００５３】
IP変換装置９０Ａは、端末８０Ａからの「０、＊、△△（短縮番号）」のダイヤルを受信し（Ｓ１）、また、「０Ａ−Ｊ（接続先番号）」のダイヤルを受信する（Ｓ２）。IP変換装置９０Ａは、この受信した「０＊△△」と「０Ａ−Ｊ」とを含むINVITEメッセージを加入者サーバ２０Ａに送信する（Ｓ３）。
【００５４】
加入者サーバ２０Ａのサービス判定部２１（図３参照）は、加入者情報２５とこのINVITEメッセージの発端末のＩＤ（発信番号）、このINVITEメッセージの短縮番号の識別情報「＊」の有無により、このINVITEメッセージが短縮ダイヤルサービスのINVITEメッセージであると判断すると、このINVITEメッセージをAS１０へ送信する（Ｓ４）。
【００５５】
AS１０は、この「０＊△△」と「０Ａ−Ｊ」とを含むINVITEメッセージを受信すると、短縮ダイヤル設定部１３が、このINVITEメッセージに短縮番号の登録を示す識別情報「０」が冒頭に付されていることから、このINVITEメッセージを短縮番号登録要求と判断する。そして、短縮ダイヤル設定部１３は、このINVITEメッセージに含まれる短縮番号「△△」と、接続先番号「０Ａ−Ｊ」とを対応付けて短縮ダイヤル情報１５に登録する（Ｓ５）。
【００５６】
次に、AS１０のMS指示部１４（図３参照）は、MS３０へINVITEメッセージを送信し（Ｓ６）、MS３０からその応答である200メッセージを受信する（Ｓ７）。そして、AS１０は、加入者サーバ２０Ａ経由で、IP変換装置９０Ａに対し、短縮番号登録に向けた準備処理を進行中であることを示す183メッセージを送信する（Ｓ８，Ｓ９）。
【００５７】
次に、AS１０のMS指示部１４は、INFOメッセージにより、MS３０に対し、このMS３０から発端末へのSDTの送信指示を行う（Ｓ１０）。そして、このINFOメッセージの応答としてMS３０は、AS１０へ200メッセージを送信し（Ｓ１１）、MS３０は、発端末（端末８０Ａ）へSDTを送信する（Ｓ２１）。
【００５８】
その後、AS１０のMS指示部１４は、SDT送出期間のタイムアウトを契機に、MS３０に対し、BYEメッセージを送出する（Ｓ２２）。つまり、AS１０はMS３０に対し、SDT送出停止を要求する。その後、MS３０から、このBYEメッセージの応答である200メッセージを受信する（Ｓ２３）。また、AS１０の確認発信部１２は、加入者サーバ２０Ａ経由で、IP変換装置９０Ａに対して、AS１０への確認発信要求のためのIP信号として、3XXメッセージを送信する（Ｓ２４，Ｓ２５）。なお、この3XXメッセージには、当該メッセージに短縮番号が含まれることを示す識別情報である「＊」と短縮番号「△△」と、この3XXメッセージを受信したIP変換装置９０Ａが返信すべきAS１０のアドレス等が含まれる（例えば、Contact：＊△△＠AS）。つまり、AS１０の確認発信部１２は、IP変換装置９０Ａへ、短縮番号のリダイレクションのためのIP信号で確認発信を要求する。
【００５９】
この3XXメッセージを受信したIP変換装置９０Ａは、加入者サーバ２０Ａ経由でAS１０へACKを返す。そして、識別情報「＊」と短縮番号「△△」を利用して確認発信を行う。すなわち、IP変換装置９０Ａは、識別情報「＊」と短縮番号「△△」とを含むINVITEメッセージを生成し、加入者サーバ２０Ａに対し送信する（Ｓ２８）。加入者サーバ２０Ａのサービス判定部２１は、INVITEメッセージを受信すると、加入者情報２５とこのINVITEメッセージに識別情報「＊」の有無とにより、このINVITEメッセージが短縮ダイヤルサービスであることの確認を行った後、AS問い合わせ部２２は、AS１０へこのINVITEメッセージを送信する（Ｓ２９）。
【００６０】
このINVITEメッセージを受信したAS１０の接続先指示部１１は、短縮ダイヤル情報１５から、このINVITEメッセージに含まれる短縮番号「△△」に対応する接続先番号「０Ａ−Ｊ」を検索する。そして、INVITEメッセージにおける宛先の短縮番号を、この検索した接続先番号に変換し（Ｓ３１）、この接続先番号を含むINVITEメッセージを加入者サーバ２０Ａへ送信する（Ｓ３２）。
【００６１】
加入者サーバ２０Ａのルーチング部２３は、AS１０からのINVITEメッセージを受信すると、中継サーバ４０へ、このINVITEメッセージを送信し（Ｓ３３）、このINVITEメッセージは、中継サーバ４０経由で、加入者サーバ２０ＢからIP変換装置９０Ｂへ到達する（Ｓ３４，Ｓ３５）。そして、IP変換装置９０Ｂは、端末８０Ｂへの着信処理を行う。
【００６２】
その後、IP変換装置９０Ｂから送信された180メッセージは、加入者サーバ２０Ｂおよび中継サーバ４０を経由して、加入者サーバ２０Ａへ到達する（Ｓ４１，Ｓ４２，Ｓ４３）。そして、この180メッセージは、加入者サーバ２０Ａを経由して、IP変換装置９０Ａへ到達し（Ｓ４４，Ｓ４５，Ｓ４６）、IP変換装置９０Ａは、端末８０ＡへRBT（リングベルトーン）を送信する（Ｓ４７）。つまり、IP変換装置９０Ａは、端末８０Ｂを呼び出し中であることを伝える。
【００６３】
その後、IP変換装置９０Ｂは、端末８０Ｂの応答を検出すると、このことを伝える200メッセージが、加入者サーバ２０Ｂ→中継サーバ４０→加入者サーバ２０Ａ→AS１０→加入者サーバ２０Ａというように転送され、IP変換装置９０Ａに到達する（Ｓ５２，Ｓ５３，Ｓ５４，Ｓ５５，Ｓ５６，Ｓ５７）。そして、IP変換装置９０Ａは、端末８０Ａに対し、端末８０Ｂの応答を伝える（Ｓ５８）。これにより、端末８０Ａと端末８０Ｂとの間で通信が確立され、端末８０Ａ，８０Ｂ間が通信中の状態となる。なお、Ｓ５７で200メッセージがIP変換装置９０Ａに到達すると、この200メッセージが到達したことを伝えるACKが、IP変換装置９０Ａ→加入者サーバ２０Ａ→AS１０→加入者サーバ２０Ａ→中継サーバ４０→加入者サーバ２０Ｂというように到達する。また、この後の通信切断シーケンスの説明は省略するが、どちらかの端末８０のオンフックを検出すると、システムは通信切断処理を行う。
【００６４】
このようにすることで、システムは、IP網の端末８０Ａからの短縮番号とその短縮番号に対応する接続先番号の登録を受け付け、その短縮番号の確認発信を行うことができる。
【００６５】
なお、この後、システムが、端末８０Ａから短縮番号の発信を受け付けたときの処理手順を、図５に示す。なお、図５においてIP変換装置９０Ｂから送信された180メッセージがIP変換装置９０Ａに到達し、端末８０ＡへRBTを送信するまでの処理は記載を省略している。図５に示すように、IP変換装置９０Ａは、端末８０Ａからの「＊、△△（短縮番号）」のダイヤルを受信すると（Ｓ６１）、IP変換装置９０Ａは、識別情報「＊」と短縮番号「△△」とを含むINVITEメッセージを生成し、加入者サーバ２０Ａに対し送信する（Ｓ６２）。その後、加入者サーバ２０Ａは、この、識別情報「＊」と短縮番号「△△」とを含むINVITEメッセージをＡＳ１０へ送信し（Ｓ６３）、その応答として、AS１０により、この短縮番号が接続先番号に変換されたINVITEメッセージを受信する（Ｓ６４，Ｓ６５）。そして、この接続先番号を宛先とするINVITEメッセージを中継サーバ４０へ送信する（Ｓ６６）。この後のＳ６７〜Ｓ７４の処理は、前記したＳ３４〜Ｓ５７の処理と同様の処理なので説明を省略するが、加入者サーバ２０Ａのルーチング処理後、端末８０Ｂが応答することにより、端末８０Ａ，８０Ｂ間は通信中の状態となる。つまり、IP網の端末８０Ａは、ＡＳ１０に登録された短縮ダイヤル情報１５により、短縮番号を用いた発信を行うことができる。
【００６６】
＜第２の実施の形態＞
次に、第２の実施の形態のシステムを説明する。第２の実施の形態のシステムは、AS１０Ａが、短縮ダイヤル情報１５への短縮番号の登録を完了すると、発端末に接続するIP変換装置９０へ接続の切断要求のIP信号（例えば、BYEメッセージ）を送信する（図６のＳ１２４，Ｓ１２５参照）。つまり、第１の実施の形態では、AS１０が、短縮ダイヤル情報１５への短縮番号の登録を完了すると、IP変換装置９０Ａへ、再発信を指示する3XXメッセージを送信していたが、これに代えて接続の切断要求のIP信号（BYEメッセージ）を送信する。そして、そのBYEメッセージを受信したIP変換装置９０は、自身に接続された端末８０から受け付けた短縮番号を含む発呼のIP信号を加入者サーバ２０へ送信する（Ｓ１２８参照）。つまり、IP変換装置９０は、加入者サーバ２０経由でAS１０へ短縮番号の登録を行ったとき、その短縮番号を記憶部に記憶しておく。そして、IP変換装置９０が、加入者サーバ２０から切断要求のIP信号を受信すると、この短縮番号を含む発呼のIP信号を加入者サーバ２０へ送信させるようにする。前記した実施の形態と同様の構成要素は、同じ符号を付して説明を省略する。
【００６７】
第２の実施の形態のシステムのAS１０Ａは、確認発信部１２Ａ（図３参照）を備える。この確認発信部１２Ａは、短縮ダイヤル情報１５に短縮番号を登録すると、この短縮番号の登録要求を送信したIP変換装置９０へ、接続の切断要求のIP信号（BYEメッセージ）を送信する。また、第２の実施の形態のシステムのIP変換装置９０Ａは、発呼処理部９２（図３参照）を備え、記憶部の所定領域に自身が短縮番号の登録時に送信した短縮番号を記憶する。この発呼処理部９２は、加入者サーバ２０からBYEメッセージを受信すると、記憶部に記憶しておいた短縮番号を宛先とするIP信号（例えば、INVITEメッセージ）を加入者サーバ２０Ａへ送信する。つまり、短縮番号の確認発信を行う。
【００６８】
＜処理手順＞
次に、図６を用いて、第２の実施の形態のシステムの処理手順を説明する。ここでも、発端末が端末８０Ａであり、着端末が端末８０Ｂである場合を例に説明する。Ｓ１０１〜Ｓ１２３の処理は、Ｓ１〜Ｓ２３の処理と同様なので説明を省略し、Ｓ１２４から説明する。なお、IP変換装置９０は加入者サーバ２０経由で短縮番号の登録要求を送信したとき、その登録要求の対象である短縮番号を記憶部に記憶しておくものとする。
【００６９】
AS１０Ａは、Ｓ１２２でBYEメッセージをMS３０へ送信した後、確認発信部１２Ａにより加入者サーバ２０Ａ経由で、発端末に接続するIP変換装置９０Ａに対しBYEメッセージを送信する（Ｓ１２４，Ｓ１２５）。つまり、IP変換装置９０Ａの発呼処理部９２は、AS１０Ａからの切断信号を受信する。そして、加入者サーバ２０Ａ経由で、200メッセージをAS１０Ａへ送信する（Ｓ１２６，Ｓ１２７）。また、IP変換装置９０Ａの発呼処理部９２は、この切断信号の受信後、短縮番号を用いて再発呼を行う。つまり、発呼処理部９２は、BYEメッセージの受信をトリガとして、「＊（短縮番号が含まれることを示す識別情報）、△△（短縮番号）」を含むINVITEメッセージを加入者サーバ２０Ａ経由でAS１０Ａへ送信する（Ｓ１２８，Ｓ１２９）。これにより、AS１０Ａは、IP変換装置９０Ａに対し、短縮番号の確認発信を実行させることができる。その後、AS１０Ａが、IP変換装置９０Ａから受信したINVITEメッセージに含まれる短縮番号について、短縮ダイヤル情報１５参照して、接続先番号への変換を行い（Ｓ１３１）、その変換結果を、加入者サーバ２０Ａへ返す（Ｓ１３２）、その後のＳ１３３〜Ｓ１３５の処理は、Ｓ３３〜Ｓ３５の処理と同様であり、その後の処理も第１の実施の形態（リダイレクション方式）と同様であるので説明を省略する。
【００７０】
このようにすることでもシステムは、IP変換装置９０からの短縮番号の確認発信を実行させることができる。
【００７１】
＜第３の実施の形態＞
次に、第３の実施の形態のシステムを説明する。前記した実施の形態と同様の構成要素は、同じ符号を付して説明を省略する。この第３の実施の形態のシステムは、ＡＳ１０Ｂ（図７参照）が、短縮番号の登録後、短縮番号に対応する接続先番号への発信を直接加入者サーバ２０へ指示することを特徴とする。第３の実施の形態は、システム内のＡＳとしてＡＳ１０Ｂを用い、またＭＳとしてＭＳ３０Ｂを用いる。AS１０Ｂは、短縮番号の登録後、短縮番号に対応する接続先番号を含むIP信号（例えば、INVITEメッセージ）を加入者サーバ２０Ａへ送信する確認発信部１２Ｂを備える（図３参照）。また、MS３０Ｂは、RBT処理部３２を備える。このRBT処理部３２は、AS１０Ｂからの指示に基づき、端末８０へRBTを送信する。
【００７２】
図７を用いて、第３の実施の形態のシステムの概要を説明する。前記したＳ１０１と同様に、IP変換装置９０Ａは、端末８０から「０」＋「＊」＋「△△（短縮番号）」＋「接続先番号」を含む短縮番号登録要求を受信する（Ｓ７０１）。その後、その短縮番号登録要求をIP信号に変換して、加入者サーバ２０Ａへ送信する。加入者サーバ２０Ａは、このIP信号を短縮ダイヤルサービスのIP信号と判断すると、AS１０Ｂへを転送する（Ｓ７０２）。その後、Ｓ１０３〜Ｓ１０６と同様の処理により、AS１０Ｂは、短縮ダイヤル情報１５への短縮番号の登録を行い、登録完了後、MS３０Ｂから端末８０Ａに対しSDTの送信を指示する。そして、所定時間が経過すると、AS１０は、MS３０Ｂに対し、SDTの送信停止要求を行う。
【００７３】
また、AS１０Ｂは、「△△（短縮番号）」と「接続先番号」とを短縮ダイヤル情報１５に登録後、加入者サーバ２０Ａに対し、この接続先番号への発信を指示する（Ｓ７０３）。つまり、この登録した短縮番号に対応する接続先番号を含む発呼のIP信号（例えば、INVITEメッセージ）を、加入者サーバ２０Ａへ送信する。このINVITEメッセージを受信した加入者サーバ２０Ａは、このINVITEメッセージを中継サーバ４０へ送信する。その後、この接続先番号の端末８０が、IP網の端末８０Ｂであれば、加入者サーバ２０ＢおよびIP変換装置９０Ｂ経由で、端末８０Ｂに着信する。また、この接続先番号の端末８０が、PSTNの端末８０Ｃであれば、PSTN-GW５０、中継交換機６０および加入者交換機７０経由で、端末８０Ｃに着信する。
【００７４】
なお、確認発信により着端末を呼び出し中のとき、加入者端末である端末８０ＡへRBTを送信する必要があるが、このRBTは、MS３０Ｂから送信する（Ｓ７０４）。これは、MS３０ＢとIP変換装置９０Ａとの間で暫定パスが設定された状態では、その後の180メッセージを受信しても、自らRBTを送信できないというSIPの仕様の制約があるからである。
【００７５】
＜処理手順＞
次に、図８を用いて、第３の実施の形態のシステムの処理手順を説明する。ここでも、発端末が端末８０Ａであり、着端末が端末８０Ｂである場合を例に説明する。Ｓ２０１〜Ｓ２２１は、Ｓ１〜Ｓ２１と同様なので説明を省略し、Ｓ２２２から説明する。
【００７６】
Ｓ２２１の後、AS１０Ｂは、INFOメッセージによりMS３０Ｂに対しSDTの送信停止を指示する（Ｓ２２２）。そして、このMS３０Ｂから、200メッセージを受信する（Ｓ２２３）。また、AS１０Ｂは、短縮番号に対応する接続先番号を含むINVITEメッセージを加入者サーバ２０Ａへ送信する（Ｓ２２４）。加入者サーバ２０Ａは、このINVITEメッセージを受信すると、このINVITEメッセージを中継サーバ４０へ送信する（Ｓ２２５）。その後、このINVITEメッセージは、加入者サーバ２０Ｂ経由で、IP変換装置９０Ｂに到達し（Ｓ２２６，Ｓ２２７）、端末８０Ｂへ着信する。その後、IP変換装置９０Ｂは、INVITEメッセージの応答である180メッセージを送信し（Ｓ２３１）、180メッセージは加入者サーバ２０Ｂから、中継サーバ４０、加入者サーバ２０Ａを経由してAS１０Ｂへ到達する（Ｓ２３２，Ｓ２３３，Ｓ２３４）。そして、AS１０Ｂは、この180メッセージを受信すると、MS３０Ｂへ、端末８０Ａに対するRBTの送信を指示するINFOメッセージを送信する（Ｓ２３５）。MS３０Ｂは、このINFOメッセージを受信すると、応答として200メッセージをMS３０Ｂへ送信する（Ｓ２３６）。そして、ＭＳ３０Ｂは、RBT処理部３２により、端末８０Ａに対しRBTを送信する（Ｓ２４１）。
【００７７】
その後、IP変換装置９０Ｂが、端末８０Ｂからの応答を検出した後の処理（Ｓ２４２以降の処理）は、前記したＳ５２以降の処理と同様であるが、端末８０Ｂからの応答を検知すると、AS１０ＢはＭＳ３０ＢへBYEメッセージを送信する。そして、加入者サーバ２０Ａ経由で、IP変換装置９０ＡへUPDATEメッセージを送信する。つまり、AS１０Ｂは、ＭＳ１０Ｂとの接続をいったん切断したあと、IP変換装置９０ＡをIP変換装置９０Ｂに接続しなおすためのメッセージを送信する。その後、AS１０ＢはIP変換装置９０Ａから200メッセージを受信する。そして、AS１０Ｂは、Ｓ２０３，Ｓ２０４で受信したINVITEメッセージに対する200メッセージを加入者サーバ２０Ａ経由で、IP変換装置９０Ａへ送信し、このACKを受信すると、端末８０Ａ，８０Ｂ間の通信を確立する。
【００７８】
このようにすることでも、システムは、IP網に接続される端末８０に対し、短縮ダイヤルサービスを提供できる。
【００７９】
＜第４の実施の形態＞
次に、第４の実施の形態のシステムを説明する。前記した実施の形態と同様の構成要素は、同じ符号を付して説明を省略する。第４の実施の形態のシステムは、短縮番号に対応する接続先番号の登録をMS３０Ｃで受け付けることを特徴とする。第４の実施の形態は、システム内のＡＳとしてAS１０Ｃを用い、またＭＳとしてＭＳ３０Ｃを用いる（図３参照）。まず、図９を用いて、第４の実施の形態のシステムの概要を説明する。
【００８０】
IP変換装置９０Ａは、端末８０から「０」＋「＊」＋「△△（短縮番号）」を含む短縮番号登録要求を受信する（Ｓ９０１）。つまり、IP変換装置９０Ａは、まず、短縮番号の入力を受ける。その後、この短縮番号登録要求をIP信号に変換して、加入者サーバ２０Ａへ送信する。加入者サーバ２０Ａは、送信されたIP信号が短縮ダイヤルサービスのIP信号であることを確認すると、このIP信号（短縮番号登録要求）をAS１０Ｃへを転送する（Ｓ９０２）。
【００８１】
その後、AS１０Ｃは、MS３０Ｃに対しガイダンス（登録要求ガイダンス）の送信指示を行う（Ｓ９０３）。このガイダンスは、短縮番号に対応する接続先番号の入力を促す音声ガイダンスである。この送信指示を受信したMS３０Ｃは、端末８０Ａへガイダンスを送信する（Ｓ９０４）。その後、端末８０Ａは、この端末８０Ａの利用者から接続先番号の入力を受け付ける（Ｓ９０５）。そして、MS３０Ｃは、端末８０Ａから、インチャネルにて接続先番号を受信すると（Ｓ９０６）、この接続先番号をAS１０Ｃへ送信する（Ｓ９０７）。この接続先番号を受信したAS１０Ｃは、短縮ダイヤル情報１５に、「△△（短縮番号）」と、この接続先番号とを対応付けて登録する（Ｓ９０８）。そして、AS１０Ｃは、MS３０Ｃへ、端末８０ＡへのSDTの送信要求を送信し（Ｓ９０９）、MS３０Ｃは、この送信要求に基づき端末８０ＡへSDTを送信する（Ｓ９１０）。その後、AS１０Ｃは、MS３０Ｃへ、SDTの停止要求を送信し、短縮番号に対応する接続先番号への確認発信を加入者サーバ２０へ指示する。ここでの確認発信の処理は、第１の実施の形態ないし第３の実施の形態のいずれかの方法で実行すればよい。
【００８２】
このようにすることでも、システムは、IP網に接続される端末８０に対し、短縮ダイヤルサービスを提供できる。
【００８３】
このようなシステムのAS１０Ｃは、短縮ダイヤル設定部１３ＣおよびMS指示部１４Ｃを備える（図３参照）。このMS指示部１４Ｃは、加入者サーバ２０経由でIP変換装置９０から短縮番号登録要求を受信すると、MS３０Ｃに対し、登録要求ガイダンスの送信指示を行う。短縮ダイヤル設定部１３Ｃは、IP変換装置９０から短縮番号登録要求を受信した後、MS３０Ｃから送信されてくる、接続先番号の受信を待つ。そして、MS３０Ｃから、この接続先番号を受信すると、短縮番号登録要求に含まれる短縮番号と対応付けて短縮ダイヤル情報１５に登録する。
【００８４】
また、MS３０Ｃは、ガイダンス送信部３３と、接続先番号受付部３４とを備える（図３参照）。ガイダンス送信部３３は、AS１０Ｃからの指示に基づき、端末８０へ登録要求ガイダンスを送信する。接続先番号受付部３４は、端末８０から送信された接続先番号をAS１０Ｃへ送信する。
【００８５】
次に、図１０を用いて、第４の実施の形態のシステムの処理手順を説明する。ここでも、発端末が端末８０Ａであり、着端末が端末８０Ｂである場合を例に説明する。
【００８６】
IP変換装置９０Ａは、端末８０Ａからの「＊、△△（短縮番号）」のダイヤルを受信すると（Ｓ３０１）、この「０＊△△」を含むINVITEメッセージを加入者サーバ２０Ａに送信する（Ｓ３０２）。そして、加入者サーバ２０Ａのサービス判定部２１（図３参照）は、加入者情報２５と、このINVITEメッセージの発端末のＩＤ（発信番号）とを参照して、このINVITEメッセージが短縮ダイヤルサービスの利用者の端末からのINVITEメッセージであると判断すると、このINFOメッセージをAS１０Ｃへ送信する（Ｓ３０３）。
【００８７】
このINVITEメッセージを受信したAS１０Ｃの短縮ダイヤル設定部１３Ｃ（図３参照）は、継続ダイヤルイ受信処理を行う（Ｓ３０４）。すなわち、短縮ダイヤル設定部１３Ｃは、短縮番号に続き接続先番号を受信するための準備を行う。この後の、Ｓ３０５〜Ｓ３０８の処理は、Ｓ６〜Ｓ９の処理と同様なので説明を省略する。AS１０ＣのMS３０Ｃは、MS３０Ｃへガイダンスの送信を指示するINVITEメッセージを送信し（Ｓ３０９）、MS３０Ｃからの200メッセージを受信する（Ｓ３１０）。
【００８８】
Ｓ３１０の後、MS３０Ｃのガイダンス送信部３３は、端末８０Ａへ短縮番号に登録したい接続先番号をダイヤルするよう促すガイダンスを送信する（Ｓ３１１）。その後、AS１０Ｃの接続先番号受付部３４は、端末８０Ａからの継続ダイヤルにより、短縮番号に登録したい接続先番号を受信する（Ｓ３１２）。そして、接続先番号受付部３４は、この受信した接続先番号をINFOメッセージにより受信する（Ｓ３１３）。次に、200メッセージをMS３０Ｃへ送信すると、短縮ダイヤル設定部１３Ｃは、Ｓ３０４で受信したINVITEメッセージに含まれる短縮番号と、Ｓ３１３で受信した接続先番号とを対応付けて短縮ダイヤル情報１５に登録する（Ｓ３１５）。そして、AS１０ＣのMS指示部１４Ｃは、INFOメッセージにより、端末８０ＡへのSDT送信要求を、INFOメッセージによりAS１０Ｃへ送信する（Ｓ３１６）。次に、MS３０Ｃは、AS１０Ｃへ200メッセージを送信すると（Ｓ３１７）、SDT処理部３１により、端末８０ＡへSDTを送信する（Ｓ３１８）。これにより、MS３０Ｃは、短縮ダイヤル情報１５に短縮番号が登録されたことを端末８０Ａへ通知できる。この後の処理は、各実施の形態におけるSDT送信後の処理と同様なので説明を省略する。
【００８９】
このようにすることでも、システムは、短縮番号とその短縮番号に対応する接続先番号に登録を受け付けることができる。よって、IP網に接続される端末８０に対し、短縮ダイヤルサービスを提供できる。
【００９０】
なお、前記した第１の実施の形態ないし第４の実施の形態において、システムが発端末から短縮番号による発呼を受け付けたときの処理手順は、図５で説明したとおりであるので説明を省略する。
【００９１】
＜第５の実施の形態＞
第５の実施の形態のシステムは、加入者サーバそれぞれが、ASの機能を備えることを特徴とする。このような加入者サーバ２００は、図１１に示すように、接続先指示部１１と、確認発信部１２と、短縮ダイヤル設定部１３と、MS指示部１４と、接続処理部２４と、ルーチング部２３とを備える。また、記憶部に加入者情報２５とIP変換装置情報２６とを記憶する。なお、第５の実施の形態のシステムの処理手順は、前記した第１の実施の形態において、加入者サーバ２０とAS１０との間で行われていた処理を省いたものとなる。
【００９２】
＜処理手順＞
図１２を用いて、第５の実施の形態のシステムの処理手順を説明する。ここでも、発端末が端末８０Ａであり、着端末が端末８０Ｂである場合を例に説明する。Ｓ４０１〜Ｓ４０３の処理は、Ｓ１〜Ｓ３の処理と同様なので、説明を省略し、Ｓ４０４から説明する。加入者サーバ２００Ａのサービス判定部２１（図１１参照）は、加入者情報１５とこのIP信号に含まれる識別情報「＊」の有無から、受信したIP信号（例えば、INVITEメッセージ）が短縮ダイヤルサービスのIP信号であることを確認すると、短縮ダイヤル設定部１３が、このIP信号に含まれる短縮番号「△△」と、接続先番号「０Ａ−Ｊ」とを対応付けて短縮ダイヤル情報１５に登録する（Ｓ４０４）。
【００９３】
次に、加入者サーバ２００ＡのMS指示部１４（図１１参照）は、MS３０へINVITEメッセージを送信し（Ｓ４０５）、MS３０からその応答である200メッセージを受信する（Ｓ４０６）。そして、加入者サーバ２００Ａは、IP変換装置９０Ａに対し、短縮番号登録に向けた準備処理を進行中であることを示す183メッセージを送信する（Ｓ４０７）。
【００９４】
加入者サーバ２００ＡのMS指示部１４は、INFOメッセージにより、MS３０に対し、発端末へのSDTの送信指示を行う（Ｓ４０８）。そして、このINFOメッセージの応答としてMS３０は、加入者サーバ２００Ａへ200メッセージを送信し（Ｓ４０９）、MS３０は、発端末（端末８０Ａ）へSDTを送信する（Ｓ４１０）。
【００９５】
その後、加入者サーバ２００のMS指示部１４は、SDT送出期間のタイムアウトを契機に、MS３０に対し、BYEメッセージを送出する（Ｓ４１１）。つまり、加入者サーバ２００ＡはMS３０に対し、SDT送出停止を要求する。その後、MS３０から、このBYEメッセージの応答である200メッセージを受信する（Ｓ４１２）。また、加入者サーバ２００Ａの確認発信部１２は、IP変換装置９０Ａに対して、AS１０への確認発信要求のためのIP信号として、3XXメッセージを送信する（Ｓ４１３）。なお、この3XXメッセージには、当該メッセージに短縮番号が含まれることを示す識別情報である「＊」と短縮番号「△△」と、この3XXメッセージを受信したIP変換装置９０Ａが返信すべき加入者サーバ２００Ａのアドレス等が含まれる。
【００９６】
この3XXメッセージを受信したIP変換装置９０Ａは、加入者サーバ２００ＡへACKを返す。そして、識別情報「＊」と短縮番号「△△」を利用して確認発信を行う。すなわち、IP変換装置９０Ａは、識別情報「＊」と短縮番号「△△」とを含むINVITEメッセージを生成し、加入者サーバ２０Ａに対し送信する（Ｓ４１４）。加入者サーバ２００Ａのサービス判定部２１は、INVITEメッセージを受信すると、加入者情報２５とこのINVITEメッセージにおける識別情報「＊」の有無から、短縮ダイヤルサービスのINVITEメッセージであることを確認する。そして、この加入者サーバ２００Ａの接続先指示部１１は、短縮ダイヤル情報１５から、このINVITEメッセージに含まれる短縮番号「△△」に対応する接続先番号「０Ａ−Ｊ」を検索する。そして、この接続先指示部１１は、INVITEメッセージにおける宛先の短縮番号を、この接続先番号に変換し（Ｓ４１５）、この接続先番号を含むINVITEメッセージを加入者サーバ２０Ａへ送信する（Ｓ４１６）。その後、このINVITEメッセージは、中継サーバ４０および加入者サーバ２００Ｂ経由で、IP変換装置９０Ｂに到達する（Ｓ４１７，Ｓ４１８）。そして、IP変換装置９０Ｂは、この受信したINVITEメッセージに基づき、端末８０Ｂへの着信処理を行う。
【００９７】
その後、IP変換装置９０Ｂから送信された180メッセージは、加入者サーバ２０Ｂおよび中継サーバ４０を経由して、加入者サーバ２０Ａへ到達する（Ｓ４２１，Ｓ４２２，Ｓ４２３）。そして、この180メッセージは、加入者サーバ２０Ａを経由して、IP変換装置９０Ａへ到達し（Ｓ４２４）、IP変換装置９０Ａは、端末８０ＡへRBT（リングベルトーン）を送信する（Ｓ４２５）。つまり、IP変換装置９０Ａは、端末８０Ｂを呼び出し中であることを伝える。
【００９８】
その後、IP変換装置９０Ｂは、端末８０Ｂの応答を検出すると、このことを伝える200メッセージが、加入者サーバ２０Ｂ→中継サーバ４０→加入者サーバ２０Ａというように転送され、IP変換装置９０Ａに到達する（Ｓ４３１，Ｓ４３２，Ｓ４３３，Ｓ４３４）。これにより、端末８０Ａと端末８０Ｂとの間で通信が確立され、端末８０Ａ，８０Ｂ間が通信中の状態となる。なお、Ｓ４３４で200メッセージがIP変換装置９０Ａに到達すると、この200メッセージが到達したことを伝えるACKが、IP変換装置９０Ａ→加入者サーバ２０Ａ→中継サーバ４０→加入者サーバ２０Ｂというように到達する。また、この後の通信切断シーケンスの説明は省略するが、どちらかの端末８０のオンフックを検出すると、システムは通信切断処理を行う。
【００９９】
なお、この後、システムは、端末８０Ａから短縮番号の発信を受け付けたときの処理手順を、図１２に示す。なお、図１２においてIP変換装置９０Ｂから送信された180メッセージがIP変換装置９０Ａに到達し、端末８０ＡへRBTを送信するまでの処理は記載を省略している。図１２に示すように、IP変換装置９０Ａは、端末８０Ａからの「＊、△△（短縮番号）」のダイヤルを受信すると（Ｓ１２０１）、IP変換装置９０Ａは、短縮番号の入力を示す識別情報「＊」と短縮番号「△△」とを含むINVITEメッセージを生成し、加入者サーバ２００Ａに対し送信する（Ｓ１２０２）。この後、Ｓ１２０３〜Ｓ１２０９の処理は、前記したＳ４１５〜Ｓ４３４の処理と同様なので説明を省略するが、加入者サーバ２０Ａのルーチング処理後、端末８０Ｂが応答することにより、端末８０Ａ，８０Ｂ間は通信中の状態となる。つまり、IP網の端末８０Ａは、短縮番号を用いた発信を行うことができる。
【０１００】
このようなシステムによってもIP網に対し短縮ダイヤルサービスを提供することができる。
【０１０１】
なお、加入者サーバ２００は、確認発信部１２に代えて、確認発信部１２Ａ，１２Ｂを備えてもよい。また、短縮ダイヤル設定部１３に代えて、短縮ダイヤル設定部１３Ｃを備えてもよい。さらに、MS指示部１４に代えて、MS指示部１４Ｃを備えていてもよい。なお、MS３０は、RBT処理部３２、ガイダンス送信部３３、接続先番号受付部３４を備えていてもよい。さらに、IP変換装置９０は、発呼処理部９２を備えていてもよい。
【０１０２】
さらに、各実施の形態のMS３０，３０Ｂ，３０ＣにおけるSDT処理部３１を省いていもよい。つまり、AS１０，１０Ａ，１０Ｂにおいて短縮ダイヤル情報１５の登録が完了したとき、MS３０，３０Ｂ，３０Ｃから発端末へSDTを送信する処理を省いてもよい。
【符号の説明】
【０１０３】
１０，１０Ａ，１０Ｂ，１０Ｃ  AS
１１    接続先指示部
１２，１２Ａ，１２Ｂ    確認発信部
１３，１３Ｃ    短縮ダイヤル設定部
１４，１４Ｃ    MS指示部
１５    短縮ダイヤル情報
２０，２０Ａ，２０Ｂ    加入者サーバ
２１    サービス判定部
２２    AS問い合わせ部
２３    ルーチング部
２４    接続処理部
２５    加入者情報
２６    IP変換装置情報
３０，３０Ｂ，３０Ｃ  MS
３１    SDT処理部
３２    RBT処理部
３３    ガイダンス送信部
３４    接続先番号受付部
４０    中継サーバ
５０    PSTN-GW
６０    中継交換機
７０    加入者交換機
８０，８０Ａ，８０Ｂ，８０Ｃ    端末
９０，９０Ａ，９０Ｂ    IP変換装置
９１    IP変換部
９２    発呼処理部
２００，２００Ａ，２００Ｂ  加入者サーバ
【図１】
2011193228.tif 000004
【図２】
2011193228.tif 000005
【図３】
2011193228.tif 000006
【図４】
2011193228.tif 000007
【図５】
2011193228.tif 000008
【図６】
2011193228.tif 000009
【図７】
2011193228.tif 000010
【図８】
2011193228.tif 000011
【図９】
2011193228.tif 000012
【図１０】
2011193228.tif 000013
【図１１】
2011193228.tif 000014
【図１２】
2011193228.tif 000015
【図１３】
2011193228.tif 000016